(57)【要約】【課題】本発明は、簡易な構成で安定的に情報の記録又は再生を行うことができる。【解決手段】本発明は、赤色光ビームＬｒ１を反射する反射膜１０４ｙを、青色光ビームＬｂ１の照射により記録マークＲＭの記録及び再生を行う２つの記録層１０１Ａ及び１０１Ｂにより挟んだ構成とし、赤色光ビームＬｒ１が反射膜１０４ｙに合焦するように対物レンズ４０ｘ及び４０ｙを駆動して２つの青色光ビームＬｂ１の収束状態をそれぞれ変化させることにより、対物レンズ４０ｘ及び４０ｙを介して赤色光ビームＬｒ１の赤色光焦点Ｆｒとは深さ方向に異なる位置に青色光ビームＬｂ１をそれぞれ照射する。【選択図】図１２
2011070770.tif 000002
【特許請求の範囲】
【請求項１】
それぞれ有機金属化合物を含有し光反応性を有する樹脂が所定の初期化光が照射されることによる光反応で硬化されてなり、情報の記録時に、所定の記録光が集光されることにより当該記録光の焦点近傍における温度が上昇し上記有機金属化合物が変質されて記録マークを形成し、上記情報の再生時に所定の読出光が照射されることに応じた戻り光を基に当該情報を再生させる第１及び第２の記録層と、
上記第１及び第２の記録層に挟まれ、上記第１及び第２の記録層における上記記録光の位置を任意の位置に合わせるために照射される上記記録光と相違する波長でなるサーボ光を反射させ上記記録光を反射透過する反射層と
を有する光情報記録媒体。
【請求項２】
上記第１及び第２の記録層は、
上記初期化光が照射されたとき、光反応により硬化すると共に上記有機金属化合物が上記初期化光によって光化学反応的に変化する
請求項１に記載の光情報記録媒体。
【請求項３】
上記第１及び第２の記録層は、それぞれの厚さが同等である
請求項１に記載の光情報記録媒体。
【請求項４】
上記反射層は、
上記光情報記録媒体における当該反射層と平行な方向についての位置を表す凹凸が形成されている
請求項１に記載の光情報記録媒体。
【請求項５】
上記記録層は、
上記情報の記録時に空洞を形成することにより、上記記録マークを形成する
請求項１に記載の光情報記録媒体。
【発明の詳細な説明】
【技術分野】
【０００１】
本発明は光情報記録媒体に関し、例えば光ビームを用いて情報を記録し、また光ビームを用いて当該情報を再生する記録媒体に適用して好適なものである。
【背景技術】
【０００２】
従来、光情報記録再生装置としては、円盤状の光ディスクを情報記録媒体として用いる光ディスク装置が広く普及しており、情報記録媒体としては、一般にＣＤ（Compact Disc）、ＤＶＤ（Digital Versatile Disc）及びＢｌｕ−ｒａｙ  Ｄｉｓｃ（登録商標、以下ＢＤと呼ぶ）等が用いられている。
【０００３】
かかる光ディスク装置では、音楽コンテンツや映像コンテンツ等の各種コンテンツ、或いはコンピュータ用の各種データ等のような種々の情報を光ディスクに記録するようになされている。特に近年では、映像の高精細化や音楽の高音質化等により情報量が増大し、また１枚の光ディスクに記録するコンテンツ数の増加が要求されているため、当該光ディスクのさらなる大容量化が求められている。
【０００４】
そこで、光ディスクを大容量化する手法の一つとして、２系統の光ビームを干渉させて記録媒体内に微小なホログラムを形成することにより、情報を記録するようになされたものが提案されている（例えば、特許文献１参照）。
【先行技術文献】
【特許文献】
【０００５】
【特許文献１】特開２００６−７８８３４公報（第１図）
【発明の概要】
【発明が解決しようとする課題】
【０００６】
しかしながら、かかる構成の光ディスク装置は、回転され振動する光ディスクの情報を記録したい箇所に２種類の光ビームの焦点位置を同時に合わせるといった高度な制御が必要となり、その構成が複雑になってしまうため安定した情報の記録又は再生が困難であるという問題があった。
【０００７】
本発明は以上の点を考慮してなされたもので、安定的に情報の記録又は再生を行い得る光情報記録媒体を提案しようとするものである。
【課題を解決するための手段】
【０００８】
かかる課題を解決するため本発明の記録媒体では、それぞれ有機金属化合物を含有し光反応性を有する樹脂が所定の初期化光が照射されることによる光反応で硬化されてなり、情報の記録時に、所定の記録光が集光されることにより当該記録光の焦点近傍における温度が上昇し有機金属化合物が変質されて記録マークを形成し、情報の再生時に所定の読出光が照射されることに応じた戻り光を基に当該情報を再生させる第１及び第２の記録層と、第１及び第２の記録層に挟まれ、第１及び第２の記録層における記録光の位置を任意の位置に合わせるために照射される記録光と相違する波長でなるサーボ光を反射させ上記記録光を反射透過する反射層とを設けるようにした。
【０００９】
これにより、各記録光の照射によって各記録層にそれぞれ記録マークを形成することができると共に、サーボ光により反射層を基準として各記録マークの深さ方向の位置を決定させることができる。
【発明の効果】
【００１０】
本発明によれば、各記録光の照射によって各記録層に記録マークを形成することができると共に、サーボ光により反射層を基準として各記録マークの深さ方向の位置を決定させることができ、かくして安定的に情報の記録又は再生を行い得る光情報記録媒体を実現できる。
【図面の簡単な説明】
【００１１】
【図１】光ディスクの外観構成を示す略線図である。
【図２】光ディスクの内部構成を示す略線図である。
【図３】記録マークの形成の説明に供する略線図である。
【図４】光ディスクの初期化の説明に供する略線図である。
【図５】光ディスク装置の構成を示す略線図である。
【図６】光ピックアップの構成を示す略線図である。
【図７】赤色光ビームの光路の説明に供する略線図である。
【図８】フォトディテクタにおける検出領域の構成を示す略線図である。
【図９】青色光ビームの光路の説明に供する略線図である。
【図１０】ピンホールによる光ビームの選別の説明に供する略線図である。
【図１１】他の実施の形態による光ディスクの構成（１）を示す略線図である。
【図１２】他の実施の形態による光ディスクの構成（２）を示す略線図である。
【発明を実施するための形態】
【００１２】
以下、図面について、本発明の一実施の形態を詳述する。
【００１３】
（１）光ディスクの構成
（１−１）光ディスクの層構造
まず、本発明において光情報記録媒体として用いられる光ディスク１００について説明する。図１に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００１４】
また光ディスク１００は、図２に断面図を示すように、情報を記録するための記録層１０１を中心に有しており、基板１０２及び１０３により当該記録層１０１を両面から挟むように構成されている。
【００１５】
因みに記録層１０１の厚さｔ１は約０．３［ｍｍ］、基板１０２及び１０３の厚さｔ２及びｔ３はいずれも約０．６［ｍｍ］となるようになされている。
【００１６】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。なお基板１０２及び１０３の表面については、無反射コーティングにより不要な反射が防止されるようになされていても良い。
【００１７】
また光ディスク１００は、記録層１０１と基板１０３との境界面に反射層としての反射膜１０４を有している。反射膜１０４は、誘電体多層膜等でなり、波長４０５［ｎｍ］の青色レーザ光でなる青色光ビームＬｂ１及び波長６６０[ｎｍ]の赤色レーザ光でなる赤色光ビームＬｒ１のいずれをも反射する。
【００１８】
また反射膜１０４は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００１９】
なお反射膜１０４（すなわち記録層１０１と基板１０３との境界面）には、案内溝に代えてピット等が形成され、或いは案内溝とピット等とが組み合わされていても良い。
【００２０】
この反射膜１０４は、基板１０２側から赤色光ビームＬｒ１が照射された場合、これを当該基板１０２側へ反射する。以下、このとき反射された光ビームを赤色光ビームＬｒ２と呼ぶ。
【００２１】
この赤色光ビームＬｒ２は、例えば光ディスク装置において、目標とするトラック（以下目標トラックと呼ぶ）に対して、所定の対物レンズＯＬにより集光された赤色光ビームＬｒ１の赤色光焦点Ｆｒを合わせるため、対物レンズＯＬの位置制御（すなわちフォーカス制御及びトラッキング制御）に用いられることが想定されている。
【００２２】
実際上、光ディスク１００に情報が記録されるとき、図２に示したように、位置制御された対物レンズＯＬにより赤色光ビームＬｒ１が集光され、反射膜１０４の目標トラックに合焦される。
【００２３】
また、当該赤色光ビームＬｒ１と光軸Ｌｘを共有し当該対物レンズＯＬ１により集光され青色光ビームＬｂ１が、基板１０２を透過し、記録層１０１内における当該所望トラックに相当する位置に合焦される。このとき青色光ビームＬｂ１の青色光焦点Ｆｂは、対物レンズＯＬを基準として、共通の光軸Ｌｘ上における赤色光焦点Ｆｒよりも近く、すなわち「手前側」に位置することになる。
【００２４】
このとき記録層１０１内には、青色光ビームＬｂ１が記録処理時に使用される記録用青色光ビームＬｂ１ｗである場合には、当該記録用青色光ビームＬｂ１ｗが集光されて所定強度以上となった部分（すなわち青色光焦点Ｆｂ周辺）に記録マークＲＭが形成される。例えば、青色光ビームＬｂ１の波長λが４０５［ｎｍ］、対物レンズＯＬの開口数ＮＡが０．５、当該対物レンズＯＬの屈折率ｎが１．５である場合には、直径ＲＭｒ＝１［μｍ］、高さＲＭｈ＝１０［μｍ］程度の記録マークＲＭが形成される。
【００２５】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における反射膜１０４からの距離（以下、これを深さと呼ぶ）が切り換えられながら記録マークＲＭが記録されることにより、図３（Ａ）及び（Ｂ）に示すように、複数のマーク記録層を当該光ディスク１００の厚さ方向に重ねた多層記録を行い得るようになされている。
【００２６】
この場合、光ディスク１００の記録層１０１内において、記録用青色光ビームＬｂ１ｗの青色光焦点Ｆｂの深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００２７】
一方、光ディスク１００は、情報が再生されるとき、当該情報を記録したときと同様に、対物レンズＯＬ１により集光された赤色光ビームＬｒ１が反射膜１０４の目標トラックに合焦されるよう、当該対物レンズＯＬが位置制御されるようになされている。
【００２８】
さらに光ディスク１００は、同一の対物レンズＯＬを介して集光される読出用青色光ビームＬｂ１ｒの青色光焦点Ｆｂが、記録層１０１内における当該目標トラックの「手前側」に相当し、かつ目標深さとなる位置（以下、これを目標マーク位置と呼ぶ）に合焦されるようになされている。
【００２９】
このとき青色光焦点Ｆｂの位置に記録されている記録マークＲＭは、周囲との屈折率の相違により読出用青色光ビームＬｂ１ｒを反射させ、当該目標マーク位置に記録されている記録マークＲＭから、青色光ビームＬｂ２を発生する。
【００３０】
このように光ディスク１００は、情報が記録される場合、位置制御用の赤色光ビームＬｒ１、記録用青色光ビームＬｂ１ｗが用いられることにより、記録層１０１内において青色光焦点Ｆｂが照射される位置、すなわち反射膜１０４における目標トラックの手前側となり且つ目標深さとなる目標マーク位置に、当該情報として記録マークＲＭが形成されるようになされている。
【００３１】
また光ディスク１００は、記録済みの情報が再生される場合、位置制御用の赤色光ビームＬｒ１及び読出用の青色光ビームＬｂ１ｒが用いられることにより、青色光焦点Ｆｂの位置、すなわち目標マーク位置に記録されている記録マークＲＭから、青色光ビームＬｂ２を発生させるようになされている。
【００３２】
（１−２）記録層の構成
次に、上述した記録層１０１の構成について説明する。
【００３３】
記録層１０１は、光重合型フォトポリマでなり、均一に分散させたモノマ及び光重合開始剤などでなる未硬化樹脂１０１ａを基板１０２及び１０３の間に挟んだ状態で、図４に示すように例えば高圧水銀灯、高圧メタハラ灯、固体レーザや半導体レーザ等でなる初期化光源１１０から初期化光Ｌｐ１が照射され、当該未硬化樹脂１０１ａが重合することにより作製される。
【００３４】
この未硬化樹脂１０１ａは、例えばラジカル重合化合物と光重合開始剤より構成され、あるいはカチオン重合化合物とカチオン発生形光重合開始剤より構成されている。またこの光重合型樹脂、光架橋型樹脂及び光重合開始剤、このうち特に光重合開始剤は、その材料が適切に選定されることにより、光重合を生じやすい波長を所望の波長に調整することが可能である。
【００３５】
さらにこの未硬化樹脂１０１ａには、少量の有機金属化合物または無機金属化合物あるいはその両方が混入され、初期化光Ｌｐ１の照射により光重合反応、若しくは光架橋反応、若しくはその両方の反応が引き起こされるようになされている。
【００３６】
このように光ディスク１００は、全体として薄板状に構成されると共に光をほぼ透過するように構成され、初期化処理により記録層１０１内部の樹脂が重合又は架橋或いはその両方をし、さらに当該記録層１０１内に少量の有機金属化合物が含まれるようになされている。
【００３７】
この記録層１０１では、記録処理時の所定強度以上でなる青色光ビームＬｂ１が記録層１０１内の目標マーク位置に集光されると、記録マークＲＭが形成される。これは、記録層１０１内で青色光ビームＬｂ１が集光されて局所的に温度が上昇し、これにより有機金属化合物が熱的に変化されて変質し、フッ化物、酸化物等の金属化合物又は純粋な金属が析出、凝集されるもの考えられている。
【００３８】
すなわち記録層１０１では、有機金属化合物を含有する樹脂のうち、記録用青色光ビームＬｂ１ｗが集光されて局所的に高温化した部分が変質し、金属化合物又は純粋な金属が析出したことにより、その屈折率が変化し、反射率が向上すると推察される。
【００３９】
実際上、未硬化樹脂１０１ａは、例えばアクリル酸エステルモノマ（ｐ−クミルフェノールエチレンオキシド付加アクリル酸エステル）とウレタン２官能アクリレートオリゴマを４０：６０（重量比）、オリゴマ重量比２［％］の有機金属化合物であり光重合開始剤でもある（ビス（η−２，４−シクロペンタジエン−１−イル）−ビス（２，６−ジフルオロ−３−（１Ｈ−ピロール−１−イル）−フェニル）チタニウム（チバ・スペシャリティ・ケミカルズＩｒｇ−７８４、以下これをＩｒｇ−７８４と呼ぶ）が暗室下混合脱泡されることにより作製される。
【００４０】
そして記録層１０１は、この未硬化樹脂１０１ａが基板１０２上に展開された状態で、当該基板１０２及び反射膜１０４が形成された基板１０３の間に挟み込まれた上で、高圧水銀灯でなる初期化光源１１０により初期化光Ｌｐ１（波長３６５［ｎｍ］においてパワー密度３０ｍＷ／ｃｍ２）が６０［ｍｉｎ］照射され光硬化されることにより作製される。
【００４１】
この初期化処理において記録層１０１は、全体的に光重合反応または光架橋反応あるいはその両方の反応が生じることにより、内部で樹脂が重合又は架橋或いはその両方をすることにより初期化（プリキュア）される。この結果、記録層１０１は、初期化光の照射前と比較して、屈折率が全体的に変化することになる。因みに記録層１０１は、光硬化された状態においてほぼ透明となり、照射される光を高い割合で透過させるようになされている。
【００４２】
かくして記録層１０１内の目標位置近傍は、記録用青色光ビームＬｂ１ｗが集光されて局所的に高温化することにより、その周囲と比較して反射率が局所的に高い部分でなる記録マークＲＭが形成され、情報が記録されることになる。この結果、記録マークＲＭに読出用青色光ビームＬｂ１ｒを照射すると、強い輝度でなる青色光ビームＬｂ２を検出することができる。因みに、この記録マークＲＭは、目視では確認することが困難である。
【００４３】
一方、記録マークＲＭを記録しなかった箇所（すなわち未記録部分）に対して読出用青色光ビームＬｂ１ｒを照射すると、非常に微弱な青色光ビームＬｂ２が検出される。すなわち光情報記録再生装置２０は光ディスク１００から情報を再生する際、記録マークＲＭの有無に応じて青色光ビームＬｂ２の検出強度が大きく異なることがわかる。
【００４４】
このことは、例えば光ディスク装置２０が符号「０」又は「１」を記録マークＲＭの有無と対応付けることにより光ディスク１００に情報を記録し得ると共に、その情報を再生した場合に、そのときの目標位置に記録マークＲＭが記録されているか否か、すなわち情報として符号「０」又は「１」のいずれが記録されているかを高い精度で判別し得ることを表している。
【００４５】
このように光ディスク装置２０は、光ディスク１００を用い、有機金属化合物が配合されると共に予め光硬化された記録層１０１に対して記録用青色光ビームＬｂ１ｗを集光し高温化することにより、金属化合物又は純粋な金属を析出させて記録マークＲＭを形成する情報記録を行うことができる。また光ディスク装置２０は、当該記録マークＲＭに読出用青色光ビームＬｂ１ｒを照射することにより、強い輝度でなる青色光ビームＬｂ２を検出する情報再生を行うことができる。
【００４６】
（２）光ディスク装置の構成
次に、上述した光ディスク１００に対応した光ディスク装置２０について説明する。光ディスク装置２０は、図５に示すように、制御部２１により全体を統括制御するようになされている。
【００４７】
制御部２１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理等の各種処理を実行するようになされている。
【００４８】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１に付されたアドレスのうち、記録情報を記録すべきアドレスを示す情報である。
【００４９】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００５０】
信号処理部２３は、供給された記録情報に対して所定の符号化処理や変調処理等の各種信号処理を施すことにより記録信号を生成し、これを光ピックアップ２６へ供給する。
【００５１】
光ピックアップ２６は、駆動制御部２２（図４）の制御に基づいてフォーカス制御及びトラッキング制御を行うことにより、光ディスク１００の記録層１０１における記録アドレス情報により示されるトラック（以下、これを目標トラックと呼ぶ）に記録用青色光ビームＬｂ１ｗの照射位置を合わせ、信号処理部２３からの記録信号に応じた記録マークＲＭを記録するようになされている（詳しくは後述する）。
【００５２】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００５３】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００５４】
光ピックアップ２６は、駆動制御部２２（図４）の制御に基づいてフォーカス制御及びトラッキング制御を行うことにより、光ディスク１００の記録層１０１における再生アドレス情報により示されるトラック（すなわち目標トラック）に読出用青色光ビームＬｂ１ｒの照射位置を合わせ、所定光量の光ビームを照射する。このとき光ピックアップ２６は、光ディスク１００における記録層１０１の記録マークＲＭから発生される青色光ビームＬｂ２を検出し、その光量に応じた検出信号を信号処理部２３へ供給するようになされている（詳しくは後述する）。
【００５５】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００５６】
このように光ディスク装置２０は、制御部２１によって光ピックアップ２６を制御することにより、光ディスク１００の記録層１０１における目標マーク位置に情報を記録し、また当該目標マーク位置から情報を再生するようになされている。
【００５７】
（３）光ピックアップの構成
次に、光ピックアップ２６の構成について説明する。この光ピックアップ２６では、図６に示すように、サーボ制御のためのサーボ光学系３０と、情報の再生又は記録のための情報光学系５０を有している。
【００５８】
光ピックアップ２６は、レーザダイオード３１から出射したサーボ光としての赤色光ビームＬｒ１及びレーザダイオード５１から出射した青色光ビームＬｂ１（読出用青色光ビームＬｂ１ｒ又は記録用青色光ビームＬｂ１ｗ）をそれぞれサーボ光学系３０及び情報光学系５０を介して同一の対物レンズ４０へ入射し、光ディスク１００にそれぞれ照射するようになされている。
【００５９】
（３−１）赤色光ビームの光路
図７に示すように、サーボ光学系３０では、対物レンズ４０を介して赤色光ビームＬｒ１を光ディスク１００に照射すると共に、当該光ディスク１００に反射されてなる赤色光ビームＬｒ２をフォトディテクタ４３で受光するようになされている。
【００６０】
すなわちレーザダイオード３１は、波長約６６０[ｎｍ]のｐ偏光でなる赤色レーザ光を射出し得るようになされている。実際上レーザダイオード３１は、制御部２１（図５）の制御に基づいて発散光でなる所定光量の赤色光ビームＬｒ１を発射し、コリメータレンズ３３へ入射させる。コリメータレンズ３３は、赤色光ビームＬｒ１を発散光から平行光に変換し、偏光ビームスプリッタ３４へ入射させる。
【００６１】
偏光ビームスプリッタ３４は、反射透過面３４Ｓにおいて、光ビームの偏光方向により異なる割合で当該光ビームを反射又は透過するようになされている。この反射透過面３４は、ｐ偏光の光ビームをほぼ全て透過し、ｓ偏光の光ビームをほぼ全て反射するようになされている。
【００６２】
そして偏光ビームスプリッタ３４は、ｐ偏光でなる赤色光ビームＬｒ１のほぼ全てを透過させ、１／４波長板３６へ入射する。
【００６３】
１／４波長板３６は、ｐ偏光でなる赤色光ビームＬｒ１を例えば左円偏光に変換し、ダイクロイックプリズム３７へ入射する。ダイクロイックプリズム３７は、透過反射面３７Ｓによって光ビームの波長に応じて当該光ビームを反射又は透過させるようになされており、これにより赤色光ビームＬｒ１を反射して対物レンズ４０へ入射する。
【００６４】
対物レンズ４０は、赤色光ビームＬｒ１を集光し、光ディスク１００の反射膜１０４へ向けて照射する。このとき赤色光ビームＬｒ１は、図２に示したように、基板１０２を透過し反射膜１０４において反射されて、赤色光ビームＬｒ１と反対方向へ向かい、赤色光ビームＬｒ１と逆回りの偏光方向でなる赤色光ビームＬｒ２となる。
【００６５】
この後、赤色光ビームＬｒ２は、対物レンズ４０によって平行光に変換された後、ダイクロイックプリズム３７へ入射される。ダイクロイックプリズム３７は、赤色光ビームＬｒ２を反射し、これを１／４波長板３６へ入射する。
【００６６】
１／４波長板３６は、右円偏光でなる赤色光ビームＬｒ２をｓ偏光に変換し、偏光ビームスプリッタ３４へ入射する。偏光ビームスプリッタ３４は、ｓ偏光でなる赤色光ビームＬｒ２を反射させ、マルチレンズ４１へ入射する。
【００６７】
マルチレンズ４１は、赤色光ビームＬｒ２を収束させ、シリンドリカルレンズ４２により非点収差を持たせた上で当該赤色光ビームＬｒ２をフォトディテクタ４３へ照射する。
【００６８】
ところで光ディスク装置２０では、回転する光ディスク１００における面ブレ等が発生する可能性があるため、対物レンズ４０に対する目標トラックの相対的な位置が変動する可能性がある。
【００６９】
このため、赤色光ビームＬｒ１の赤色光焦点Ｆｒ（図２）を目標トラックに追従させるには、当該赤色光焦点Ｆｒを光ディスク１００に対する近接方向又は離隔方向であるフォーカス方向及び光ディスク１００の内周側方向又は外周側方向であるトラッキング方向へ移動させる必要がある。
【００７０】
そこで対物レンズ４０は、２軸アクチュエータ４０Ａにより、フォーカス方向及びトラッキング方向の２軸方向へ駆動され得るようになされている。
【００７１】
またサーボ光学系３０（図７）では、対物レンズ４０により赤色光ビームＬｒ１が集光され光ディスク１００の反射膜１０４へ照射されるときの合焦状態が、マルチレンズ４１により赤色光ビームＬｒ２が集光されフォトディテクタ４３に照射されるときの合焦状態に反映されるよう、各種光学部品の光学的位置が調整されている。
【００７２】
フォトディテクタ４３は、図８に示すように、赤色光ビームＬｒ２が照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射膜１０４（図３）に照射されるときの、トラックの走行方向に対応している。
【００７３】
フォトディテクタ４３は、検出領域４３Ａ、４３Ｂ、４３Ｃ及び４３Ｄにより赤色光ビームＬｒ２の一部をそれぞれ検出し、このとき検出した光量に応じて検出信号ＳＤＡｒ、ＳＤＢｒ、ＳＤＣｒ及びＳＤＤｒをそれぞれ生成して、これらを信号処理部２３（図４）へ送出する。
【００７４】
信号処理部２３は、いわゆる非点収差法によるフォーカス制御を行うようになされており、次に示す（１）式に従ってフォーカスエラー信号ＳＦＥｓを算出し、これを駆動制御部２２へ供給する。
【００７５】
【数１】
2011070770.tif 000003
【００７６】
このフォーカスエラー信号ＳＦＥｓは、赤色光ビームＬｒ１の赤色光焦点Ｆｒと光ディスク１００の反射膜１０４とのずれ量を表すことになる。
【００７７】
また信号処理部２３は、いわゆるプッシュプル法によるトラッキング制御を行うようになされており、次に示す（２）式に従ってトラッキングエラー信号ＳＴＥｒを算出し、これを駆動制御部２２へ供給する。
【００７８】
【数２】
2011070770.tif 000004
【００７９】
このトラッキングエラー信号ＳＴＥｒは、赤色光焦点Ｆｒと光ディスク１００の反射膜１０４における目標トラックとのずれ量を表すことになる。
【００８０】
駆動制御部２２は、フォーカスエラー信号ＳＦＥｓを基にフォーカス駆動信号ＳＦＤｒを生成し、当該フォーカス駆動信号ＳＦＤｒを２軸アクチュエータ４０Ａへ供給することにより、赤色光ビームＬｒ１が光ディスク１００の反射膜１０４に合焦するよう、対物レンズ４０をフィードバック制御（すなわちフォーカス制御）する。
【００８１】
また駆動制御部２２は、トラッキングエラー信号ＳＴＥｒを基にトラッキング駆動信号ＳＴＤｒを生成し、当該トラッキング駆動信号ＳＴＤｒを２軸アクチュエータ４０Ａへ供給することにより、赤色光ビームＬｒ１が光ディスク１００の反射膜１０４における目標トラックに合焦するよう、対物レンズ４０をフィードバック制御（すなわちトラッキング制御）する。
【００８２】
このようにサーボ光学系３０は、赤色光ビームＬｒ１を光ディスク１００の反射膜１０４に照射し、その反射光である赤色光ビームＬｒ２の受光結果を信号処理部２３へ供給するようになされている。これに応じて駆動制御部２２は、当該赤色光ビームＬｒ１を当該反射膜１０４の目標トラックに合焦させるよう、対物レンズ４０のフォーカス制御及びトラッキング制御を行うようになされている。
【００８３】
（３−２）青色光ビームの光路
一方情報光学系５０では、図６と対応する図９に示すように、対物レンズ４０を介してレーザダイオード５１から出射した青色光ビームＬｂ１を光ディスク１００に照射すると共に、当該光ディスク１００に反射されてなる青色光ビームＬｂ２をフォトディテクタ６０で受光するようになされている。
【００８４】
すなわちレーザダイオード５１は、波長約４０５[ｎｍ]の青色レーザ光を射出し得るようになされている。実際上レーザダイオード５１は、制御部２１（図５）の制御に基づいて発散光でなる所定光量の青色光ビームＬｂ１を発射し、コリメータレンズ５２へ入射する。コリメータレンズ５２は、青色光ビームＬｂ１を発散光から平行光に変換し、偏光ビームスプリッタ５４へ入射する。
【００８５】
偏光ビームスプリッタ５４は、反射透過面５４Ｓにおいて、光ビームの偏光方向により当該光ビームを反射又は透過するようになされている。例えば反射透過面５４Ｓは、ｐ偏光の光ビームをほぼ全て透過し、ｓ偏光の光ビームをほぼ全て反射するようになされている。
【００８６】
そして偏光ビームスプリッタ５４は、ｐ偏光でなる青色光ビームＬｂ１を透過させ、球面収差などを補正するＬＣＰ（Liquid Crystal Panel）５６を介して１／４波長板５７へ入射する。
【００８７】
１／４波長板５７は、青色光ビームＬｂ１をｐ偏光から例えば左円偏光に変換してリレーレンズ５８へ入射する。
【００８８】
リレーレンズ５８は、可動レンズ５８Ａにより青色光ビームＬｂ１を平行光から収束光に変換し、収束後に発散光となった当該青色光ビームＬｂ１を固定レンズ５８Ｂにより再度収束光に変換し、ミラー５９へ入射させる。
【００８９】
ここで可動レンズ５８Ａは、図示しないアクチュエータにより青色光ビームＬｂ１の光軸方向に移動されるようになされている。実際上、リレーレンズ５８は、制御部２１（図５）の制御に基づきアクチュエータによって可動レンズ５８Ａを移動させることにより、固定レンズ５８Ｂから出射される青色光ビームＬｂ１の収束状態を変化させ得るようになされている。
【００９０】
ミラー５９は、青色光ビームＬｂ１を反射することにより、円偏光でなる当該青色光ビームＬｂ１の偏光方向を反転させる（例えば左円偏光から右円偏光へ）と共にその進行方向を偏向させ、ダイクロイックプリズム３７へ入射する。ダイクロイックプリズム３７は、反射透過面３７Ｓにより当該青色光ビームＬｂ１を透過させ、これを対物レンズ４０へ入射する。
【００９１】
対物レンズ４０は、青色光ビームＬｂ１を集光し、光ディスク１００へ照射する。このとき青色光ビームＬｂ１は、図２に示したように、基板１０２を透過し、記録層１０１内に合焦する。
【００９２】
ここで当該青色光ビームＬｂ１の青色光焦点Ｆｂの位置は、リレーレンズ５８の固定レンズ５８Ｂから出射される際の収束状態により定められることになる。すなわち青色光焦点Ｆｂは、可動レンズ５８Ａの位置に応じて記録層１０１内をフォーカス方向に移動することになる。
【００９３】
具体的に情報光学系５０は、可動レンズ５８Ａの移動距離と青色光ビームＬｂ１の青色光焦点Ｆｂの移動距離とがほぼ比例関係となるように設計されており、例えば可動レンズ５８Ａを１［ｍｍ］移動させると、青色光ビームＬｂ１の青色光焦点Ｆｂが３０［μｍ］移動するようになされている。
【００９４】
実際上、情報光学系５０は、制御部２１（図５）により可動レンズ５８Ａの位置が制御されることにより、光ディスク１００の記録層１０１内における青色光ビームＬｂ１の青色光焦点Ｆｂ（図２）の深さｄ１（すなわち反射膜１０４からの距離）を調整し、目標マーク位置に青色光焦点Ｆｂを合致させるようになされている。
【００９５】
このように情報光学系５０は、サーボ光学系３０によるサーボ制御された対物レンズ４０を介して青色光ビームＬｂ１を照射することにより、青色光ビームＬｂ１の青色光焦点Ｆｂのトラッキング方向を目標マーク位置に合致させ、さらにリレーレンズ５８における可動レンズ５８Ａの位置に応じて当該青色光焦点Ｆｂの深さｄ１を調整することにより、青色光焦点Ｆｂのフォーカス方向を目標マーク位置に合致させるようになされている。
【００９６】
そして青色光ビームＬｂ１は、光ディスク１００に対して情報を記録する記録処理の際、対物レンズ４０によって青色光焦点Ｆｂに集光され、当該青色光焦点Ｆｂに記録マークＲＭを形成する。
【００９７】
一方青色光ビームＬｂ１は、光ディスク１００に記録された情報を読み出す再生処理の際、青色光焦点Ｆｂに記録マークＲＭが記録されていた場合には、青色光焦点Ｆｂに集光した読取用光ビームＦｂ１ｒが当該記録マークＲＭによって青色光ビームＬｂ２として反射され、対物レンズ４０へ入射される。このとき青色光ビームＬｂ２は、記録マークＲＭによる反射によって、円偏光における偏光方向が反転（例えば右円偏光から左円偏光へ）される。
【００９８】
他方青色光ビームＬｂ１は、青色光焦点Ｆｂに記録マークＲＭが記録されていない場合には、青色光焦点Ｆｂに収束した後に再び発散し、反射膜１０４によって反射され、青色光ビームＬｂ２として対物レンズ４０へ入射される。このとき青色光ビームＬｂ２は、反射膜１０４による反射によって、円偏光における回転方向が反転（例えば右円偏光から左円偏光へ）される。
【００９９】
対物レンズ４０は、青色光ビームＬｂ２をある程度収束させ、ダイクロイックプリズム３７へ入射する。ダイクロイックプリズム３７は、青色光ビームＬｂ２を透過させ、ミラー５９へ入射する。
【０１００】
ミラー５９は、青色光ビームＬｂ２を反射することにより、円偏光でなる当該青色光ビームＬｂ１の偏光方向を反転させる（例えば左円偏光から右円偏光へ）と共にその進行方向を偏向させ、リレーレンズ５８へ入射する。
【０１０１】
リレーレンズ５８は、青色光ビームＬｂ２を平行光に変換し、１／４波長板５７へ入射する。１／４波長板５２は、円偏光でなる青色光ビームＬｂ２を直線偏光（例えば右円偏光からｓ偏光）に変換し、ＬＣＰ５６を介して偏光ビームスプリッタ５４に入射する。
【０１０２】
偏光ビームスプリッタ５４は、ｓ偏光でなる青色光ビームＬｂ２を反射透過面５４Ｓによって反射し、マルチレンズ５８へ入射させる。マルチレンズ５８は、青色光ビームＬｂ２を集光し、ピンホール板５９を介してフォトディテクタ６０へ照射させる。
【０１０３】
ここで図１０に示すように、ピンホール板５９は、マルチレンズ５７（図９）により集光される青色光ビームＬｂ２の焦点を孔部５９Ｈ内に位置させるよう配置されているため、当該青色光ビームＬｂ２をそのまま通過させることになる。
【０１０４】
一方図１０に示すように、ピンホール板５９は、例えば光ディスク１００における基板１０２の表面や、目標マーク位置とは異なる位置に存在する記録マークＲＭ、反射膜１０４などから反射されるような焦点の異なる光（以下、これを迷光ＬＮと呼ぶ）をほぼ遮断することになる。この結果、フォトディテクタ６０は、迷光ＬＮの光量を殆ど検出することがない。
【０１０５】
この結果、フォトディテクタ６０は、迷光ＬＮの影響を受けることなく、青色光ビームＬｂ２の光量に応じた検出信号ＳＤｂを生成し、これを信号処理部２３（図５）へ供給するようになされている。
【０１０６】
この場合、再生検出信号ＳＤｂは、光ディスク１００に記録マークＲＭとして記録されている情報を精度良く表すものとなる。このため信号処理部２３は、再生検出信号ＳＤｂに対して所定の復調処理や復号化処理等を施すことにより再生情報を生成し、この再生情報を制御部２１へ供給するようになされている。
【０１０７】
このように情報光学系５０は、光ディスク１００から対物レンズ３８へ入射される青色光ビームＬｂ２を受光し、その受光結果を信号処理部２３へ供給するようになされている。
【０１０８】
（４）動作及び効果
以上の構成において、光ディスク装置２０の光ピックアップ２６は、所定の強度以上でなる第１の光としての青色光ビームＬｂ１が照射されることにより情報を記録マークＲＭとして記録する光情報記録媒体としての光ディスク１００に対して、対物レンズ４０を介して青色光ビームＬｂ１及び当該青色光ビームＬｂ１とは波長の異なる第２の光としての赤色光ビームＬｒ１を集光して照射し、光ディスク１００に形成され赤色光ビームＬｒ１の少なくとも一部を反射させる反射層１０４に対し、赤色光ビームＬｒ１を合焦させるよう対物レンズ４０を駆動し、青色光ビームＬｂ１の収束状態を変化させることにより、対物レンズ４０が光ディスク１００に対して近接及び離隔する深さ方向に、赤色光ビームＬｒ１の赤色光焦点Ｆｒから青色光ビームＬｂ１の青色光焦点Ｆｂを任意の距離だけ離隔させ、青色光ビームＬｂ１を照射するべき目標深さに当該青色光ビームＬｂ１の青色光焦点Ｆｂを合わせるようにした。
【０１０９】
これにより光ピックアップ２６は、反射膜１０４を基準とした目標マーク位置に青色光ビームＬｂ１の青色光焦点Ｆｂを位置させることができ、光ディスク１００の目標マーク位置に記録マークＲＭを形成して光ディスク１００の記録層１０１に情報を記録することができる。ここで従来の光ディスク１００の両面側から２本の光ビームを重ねて照射し、ホログラムでなる記録マークＲＭを形成する方式では、２本の光ビームが合致した位置にのみ記録マークＲＭが形成されるため、記録マークＲＭを安定して形成することが困難であった。これに対して光ピックアップ２６では、１本の青色光ビームＬｂ１を光ディスク１００の目標マーク位置に合わせて照射すれば良い為、安定して記録マークＲＭを形成できると共に、光ピックアップ２６の構成を簡易にすることができる。
【０１１０】
また光ピックアップ２６では、導光部によって青色光ビームＬｂ１及び赤色光ビームＬｒ１を合流させて対物レンズ４０に導くと共に、青色光ビームＬｂ１が光ディスク１００によって反射されてなる青色光ビームＬｂ２を青色光ビームＬｂ１が辿った第１の光路（ミラー５９、リレーレンズ５８、１／４波長板５７、ＬＣＰ５６及び偏光ビームスプリッタ５４）に戻し、赤色光ビームＬｒ１が反射膜１０４によって反射されてなる赤色光ビームＬｒ２を赤色光ビームＬｒ１が辿った第２の光路（１／４波長板３６及び偏光ビームスプリッタ３４）に戻し、第1及び第２の分離部によって第１の光路及び第２の光路から青色光ビームＬｂ２又は赤色光ビームＬｒ２を分離し、青色光ビームＬｂ２を受光するフォトディテクタ６０又は赤色光ビームＬｒ２を受光するフォトディテクタ４３に導くようにした。
【０１１１】
これにより光ピックアップ２６は、青色光ビームＬｂ１と青色光ビームＬｂ２に同一の第１の光路を辿らせることができるため、青色光ビームＬｂ１に生じさせた収束状態の変化を戻りの光路で相殺でき、フォトディテクタ６０で受光する青色光ビームＬｂ２に当該収束状態の変化を反映させなくて済む。このため光ピックアップ２６は、当該収束状態の変化を補正するための光学部品を設ける必要が無く、構成を簡易にすることができる。
【０１１２】
さらに光ピックアップ２６は、導光部として赤色光ビームＬｒ１の殆ど全てを反射させて青色光ビームＬｂ１の殆ど全てを透過させるダイクロイックプリズム３７を用い、上記第１の光分離部及び第２の光分離部として、偏光方向の差異を利用して光ビームを分離する偏光ビームスプリッタ３４及び５４を用いるようにした。
【０１１３】
これにより光ピックアップ２６は、青色光ビームＬｂ１及び赤色光ビームＬｒ１を共に同一の対物レンズ４０を介して光ディスク１００に照射し得ると共に、偏光方向の差異を利用して青色光ビームＬｂ１及び青色光ビームＬｂ２、並びに赤色光ビームＬｒ１及び赤色光ビームＬｒ２を分離してフォトディテクタ６０及び４３へ導くことができ、少ない光学部品でサーボ光学系３０及び情報光学系５０を構成することが可能となる。
【０１１４】
また光ディスク１００が、有機金属化合物を含有し光反応性を有する樹脂である未硬化樹脂１０１Ａを所定の初期化光Ｌｐ１が照射されて光反応により未硬化樹脂１０１Ａが硬化されてなり、情報の記録時に、所定の記録光である青色光ビームＬｂ１ｗが集光されることにより青色光ビームＬｂ１の青色光焦点Ｆｂ近傍における温度が上昇し有機金属化合物が変質されて記録マークＲＭを形成し、情報の再生時に所定の読出青色光ビームＬｂ１ｒが照射されることに応じた青色光ビームＬｂ２を基に当該情報を再生させる記録層１０１と、記録層１０１における記録青色光ビームＬｂ１ｗの位置を任意の位置に合わせるために照射され当該記録青色光ビームＬｂ１ｗと相違する波長でなる赤色光ビームＬｒ１の少なくとも一部を反射させる反射層である反射膜１０４とを有するようにした。
【０１１５】
これにより光ディスク１００は、光ディスク装置２０に対して、記録層１０１に記録用青色光ビームＬｂ１ｗを単に照射させるだけの簡易な処理によって記録マークＲＭを形成させることができ、光ディスク装置２０の構成を簡易にすることができる。
【０１１６】
以上の構成によれば、光ディスク装置２０は、青色光ビームＬｂ１を照射することにより記録マークＲＭを形成する光ディスク１００に形成された当該青色光ビームＬｂ１と波長の異なる赤色光ビームＬｒ１の少なくとも一部を反射する反射膜１０４に対して、赤色光ビームＬｒ１が合焦するように対物レンズ４０を駆動し、青色光ビームＬｂ１の収束状態を変化させることにより、当該対物レンズ４０を介して当該赤色光ビームＬｒ１の赤色光焦点Ｆｒとは深さ方向に異なる位置に青色光ビームＬｂ１を照射することにより、反射膜１０４を基準とした任意の目標マーク位置に記録マークＲＭを形成することができ、かくして簡易な構成で安定的に情報の記録又は再生を行い得る光ピックアップ、光情報記録装置、光情報記録方法、光情報再生装置及び光情報再生方法、並びに安定的に情報の記録又は再生を行い得る光情報記録媒体を実現できる。
【０１１７】
（５）他の実施の形態
なお上述の実施の形態においては、有機金属化合物が変質することにより、記録層１０１に記録マークＲＭが形成される光ディスク装置２０に本発明を適用するようにした場合について述べたが、本発明はこれに限らず、光の照射によって屈折率が変化する記録層１０１の全域に対して予めホログラムを形成しておき、青色光ビームＬｂ１の照射によって当該ホログラムを破壊することにより記録マークＲＭを形成するような光ディスク装置に対して本発明を適用するようにしても良い。
【０１１８】
また上述の実施の形態においては、反射膜１０４が青色レーザ光のほぼ全部を反射する反射膜でなるようにした場合について述べたが、本発明はこれに限らず、青色レーザ光を一定の割合（例えば１：１）で反射及び透過させる反射透過膜として形成するようにしても良い。これにより、光ディスク１００は、例えば基板１０２に傷が付いたような場合であっても、基板１０３側から青色光ビームＬｂ１を照射することにより、情報を読み出すことが可能となる。
【０１１９】
さらに上述の実施の形態においては、反射膜１０４が対物レンズ４０の反対側にある基板１０３と記録層１０１との間に設けられるようにした場合について述べたが、本発明はこれに限らず、例えば図１１に示すように、反射膜１０４ｘが対物レンズ４０側にある基板１０２と記録層１０１との間に設けられるようにしても良い。
【０１２０】
この場合反射膜１０４は、例えば対物レンズ４０のサーボ制御用に使用される波長の光（赤色レーザ光）の１００％を反射する一方、記録・再生用に使用される波長の光（青色レーザ光）の１００％を透過させる反射透過膜１０４ｘとして形成されることにより、赤色光ビームＬｒ１を反射して赤色光ビームＬｒ２を生成すると共に、青色光ビームＬｂ１を目標マーク位置に照射することができる。
【０１２１】
また図１２に示すように、光ディスク１００Ｘに２つの記録層１０１Ａ及び１０１Ｂが設けられ、当該記録層１０１Ａ及び１０１Ｂの境界面に反射膜１０４ｙが形成されるようにしても良い。このとき、反射膜１０４ｙを例えば全反射膜として形成すると共に、光ディスク装置２０が２つの対物レンズ４０ｘ及び４０ｙを有するようにし、当該２つの対物レンズ４０ｘ及び４０ｙから２つの青色光ビームＬｂ１を記録層１０１Ａ及び１０１Ｂにおける２つの目標マーク位置にそれぞれ照射するようにしても良い。
【０１２２】
このとき光ディスク装置２０は、１つの赤色光ビームＬｒ１のみを用い、対物レンズ４０ｘ及び４０ｙを同時にトラッキング制御して異なる記録層１０１ａ及び１０１ｂの同一のトラックに２つの青色光ビームＬｂ１を照射することができる。なお図では便宜上、青色光ビームＬｂ２を省略している。
【０１２３】
これにより光ディスク装置２０は、２つの対物レンズ４０ｘ及び４０ｙを介した２本の光ビームＬｂによって２つの記録処理又は再生処理を並行して行うことができるため、光ディスク１００における情報の記録及び読出しの速度を向上させることができる。
【０１２４】
また光ディスク装置２０は、２つの赤色光ビームＬｒ１（図示せず）を用いて対物レンズ４０ｘ及び４０ｙをそれぞれ独立して制御することにより、例えば異なる記録層１０１ａ及び１０１ｂの異なるトラックに２つの青色光ビームＬｂ１をそれぞれ照射することもできる。
【０１２５】
さらに、この光ディスク１００Ｘでは、反射膜１０４ｙを赤色光ビームＬｒ１の約１００％を反射し、青色光ビームＬｂ１の約５０％を反射する透過反射膜１０４ｚ（図示せず）とすることにより、例えば基板１０２側からのみ青色光ビームＬｂ１を照射して記録層１０１Ａ及び１０１Ｂに記録マークＲＭを形成することができる。
【０１２６】
この光ディスク１００Ｘでは、反射膜１０４ｙを光ディスク１００のほぼ中心に有し、その両側が対称構造を有していることから、反射膜１０４ｙを中心にしてその両側の熱収縮率などの物理的特性を一致させることができ、反りの発生を抑制することができる。
【０１２７】
さらに上述の実施の形態においては、光ピックアップ２６が図６に示した構成を有するようにした場合について述べたが、本発明はこれに限らず、適宜光学部品の配置や数、種類などを変更することができ、例えば１／４波長板３６、５７の代わりに、変更ビームスプリッタ３７と対物レンズ４０との間に１／４波長板を一つだけ設けるようにしたり、サーボ光学系３０及び情報５０の位置関係を変更して光学系ダイクロイックプリズム３７の代わりに赤色光ビームＬｒ１を透過させ、青色光ビームＬｂ１を反射させるダイクロイックプリズムを用いるようにしても良い。
【０１２８】
さらに上述の実施の形態においては、円盤状でなる光ディスク１００に記録マークＲＭを形成するようにした場合について述べたが、本発明はこれに限らず、例えばキューブ状（直方体）でなる光情報記録媒体に記録マークＲＭを記録するようにしても良い。
【０１２９】
さらに上述の実施の形態においては、記録層１０１に含まれる有機金属化合物の変質により記録マークが形成されるようにした場合について述べたが、本発明はこれに限らず、例えば焦点近傍を記録層１０１のガラス転移点以上の温度に上昇させて空洞を形成することにより記録マークが形成されるようにしても良い。
【０１３０】
さらに上述の実施の形態においては、対物レンズとしての対物レンズ４０と、対物レンズ駆動部としての２軸アクチュエータ４０Ａと、焦点移動部としてのリレーレンズ５８とによって光ピックアップとしての光ピックアップ２６を構成するようにした場合について述べたが、本発明はこれに限らず、その他種々の構成でなる対物レンズと、対物レンズ駆動部と、焦点移動部とによって本発明の光ピックアップを構成するようにしても良い。
【０１３１】
さらに上述の実施の形態においては、対物レンズとしての対物レンズ４０と、対物レンズ駆動部としての２軸アクチュエータ４０Ａと、焦点移動部としてのリレーレンズ５８とによって光情報記録装置としての光ディスク装置２０を構成するようにした場合について述べたが、本発明はこれに限らず、その他種々の構成でなる対物レンズと、対物レンズ駆動部と、焦点移動部とによって本発明の光情報記録装置を構成するようにしても良い。
【０１３２】
さらに上述の実施の形態においては、対物レンズとしての対物レンズ４０と、対物レンズ駆動部としての２軸アクチュエータ４０Ａと、焦点移動部としてのリレーレンズ５８と、受光部としてのフォトディテクタ６０によって光情報再生装置としての光ディスク装置２０を構成するようにした場合について述べたが、本発明はこれに限らず、その他種々の構成でなる対物レンズと、対物レンズ駆動部と、焦点移動部と、受光部とによって本発明の光情報再生装置を構成するようにしても良い。
【０１３３】
さらに上述の実施の形態においては、記録層としての記録層１０１と、反射層としての反射膜１０４とによって光情報記録媒体としての光ディスク１００を構成するようにした場合について述べたが、本発明はこれに限らず、その他種々の構成でなる記録層と、反射層とによって本発明の光情報記録媒体を構成するようにしても良い。
【産業上の利用可能性】
【０１３４】
本発明は、例えば映像コンテンツや音声コンテンツ等のような大容量の情報を光ディスク等の記録媒体に記録し又は再生する光ディスク装置に利用することができる。
【符号の説明】
【０１３５】
２０……光ディスク装置、２１……制御部、２６……光ピックアップ、３０……サーボ光学系、３１、５１……レーザダイオード、３４、５４……偏光ビームスプリッタ、３７……ダイクロイックプリズム、３６、５７……１／４波長板、４０……対物レンズ、４０Ａ……２軸アクチュエータ、４３、６０……フォトディテクタ、５０……情報光学系、５９……ピンホール板、Ｌｂ１、Ｌｂ２……青色光ビーム、Ｌｒ１、Ｌｒ２……赤色光ビーム、１００、１００Ｘ……光ディスク、１０１……記録層、１０２、１０３……基板、１０４……反射膜。
【図１】
2011070770.tif 000005
【図２】
2011070770.tif 000006
【図３】
2011070770.tif 000007
【図４】
2011070770.tif 000008
【図５】
2011070770.tif 000009
【図６】
2011070770.tif 000010
【図７】
2011070770.tif 000011
【図８】
2011070770.tif 000012
【図９】
2011070770.tif 000013
【図１０】
2011070770.tif 000014
【図１１】
2011070770.tif 000015
【図１２】
2011070770.tif 000016